(57)【要約】      （修正有）【課題】装置構成及び製造工程を簡略化しつつ、二軸延伸フィルムを基材フィルムとして含む複合フィルムを主たる材料とする収納袋のシール部を意図する方向に容易に引き裂いて収納袋の一部を容易に取り除くことのできる収納袋を製造可能な収納袋の製造装置を提供する。【解決手段】２軸延伸フィルムを含む複合フィルム２をヒートシールして横シール部１３を形成する横シールロール２５と、横シールロール２５により形成される横シール部１３を冷却する冷却ロール２７とを備える収納袋１の製造装置２０を、冷却ロール２７の冷却面を横シール部１３に接触させる際に、冷却バーに備えた亀裂形成部材３０の針体３１を横シール部１３に接触させて亀裂部４１を形成するように構成する。【選択図】図１
2016016612.tif 000002
【特許請求の範囲】
【請求項１】
２軸延伸フィルムを基材フィルムとして含む複合フィルムを主たる材料とする収納袋の製造装置であって、
前記複合フィルムの端縁部同士をヒートシールすることによりシール部を形成するシール部形成機構と、
前記シール部形成機構により形成される前記シール部に冷却面を接触させることにより前記シール部を冷却するシール部冷却機構と、
を備え、
前記シール部冷却機構は、前記シール部を貫通する複数の亀裂部を形成する亀裂形成部を前記冷却面に有し、
前記亀裂形成部は、
前記シール部に前記亀裂部を形成する複数の亀裂形成体を有し、
前記シール部冷却機構の冷却面を前記シール部に接触させる際に、前記亀裂形成体を前記シール部に接触させることにより、前記シール部の一端縁側から前記シール部の他端縁側にかけて前記亀裂部を形成すること
を特徴とする収納袋の製造装置。
【請求項２】
前記亀裂形成体における前記シール部に接触する接触部分が、直線形状又は十字形状に形成されること
を特徴とする請求項１に記載の収納袋の製造装置。
【請求項３】
前記亀裂形成体における前記シール部に接触する接触部分が、前記シール部の一側縁に対して３０°から７０°の角度で接触するように形成されること
を特徴とする請求項１又は請求項２に記載の収納袋の製造装置。
【請求項４】
前記シール部形成機構により形成されるシール部を切断するシール部切断機構を備え、
前記亀裂形成部は、前記シール部であって、前記シール部切断機構が前記シール部を切断する位置に前記亀裂部を形成すること
を特徴とする請求項１から請求項３のいずれか１項に記載の収納袋の製造装置。
【請求項５】
前記亀裂形成部において前記亀裂形成体を設ける面が、前記シール部冷却機構の冷却面と同一の円弧形状をなすように形成されること
を特徴とする請求項１から請求項４のいずれか１項に記載の収納袋の製造装置。
【請求項６】
前記亀裂形成体を受ける受け体を備え、
前記受け体は、前記亀裂形成体が当接しないように形成されること
を特徴とする請求項１から請求項５のいずれか１項に記載の収納袋の製造装置。
【請求項７】
前記亀裂形成部は、所定の温度まで加熱された状態で前記シール部に前記亀裂部を形成すること
を特徴とする請求項１から請求項６のいずれか１項に記載の収納袋の製造装置。
【発明の詳細な説明】
【技術分野】
【０００１】
本発明は、２軸延伸フィルムを基材フィルムとして含む複合フィルムを主たる材料とする収納袋の製造装置に関するものである。
【背景技術】
【０００２】
従来、食品、化粧品等の各種物品を収納する収納袋には、開封の際に、収納袋のシール部を意図する方向に容易に引き裂いて、収納袋の一部を切り取り易くするために、収納袋のシール部分に切り取りを誘導する切り取り線（切り取り疵）或いは切り込み部が設けられている。
【０００３】
例えば、特許文献１に示す収納袋は、偏平形状又はガゼット形状の軟質フィルム製包装体の密封シール部の領域内に、密封シール部の外端縁部から包装体内方の切り裂き開封方向に向かって平行な複数本の直線状切込線を互い違いに千鳥状又は市松模様状に刻切して構成する所定幅の切込部が設けられているものである。
【０００４】
そして、特許文献１に示す収納袋においては、密封シール部上の切込部を、下部先端部に刃先部を備えた金属製の単位刻切刃を複数枚組み合わせて重ね合わせた刻切刃を、収納袋の製造装置における切込加工手段により昇降動作させることによって形成する。
【先行技術文献】
【特許文献】
【０００５】
【特許文献１】特開２００７−２２６１２号公報
【発明の概要】
【発明が解決しようとする課題】
【０００６】
しかしながら、特許文献１に示す収納袋の製袋加工装置においては、シール部に切込部を形成するための切込加工手段が装置内に個別に（独立して）設けられている。そのため、装置を構成する部材が多くなり、装置自体が複雑になる。また、収納袋を製造する過程において、切込部を形成する工程を、シール部を冷却する工程等とは別の工程で行うこととなるため、製造工程数が多くなり、製造効率が悪くなるという問題があった。
【０００７】
本発明は、上記課題を解決するもので、装置構成及び製造工程を簡略化しつつ、二軸延伸フィルムを基材フィルムとして含む複合フィルムを主たる材料とする収納袋のシール部を意図する方向に容易に引き裂いて収納袋の一部を容易に取り除くことのできる収納袋を製造可能な収納袋の製造装置を提供することを目的とする。
【課題を解決するための手段】
【０００８】
上記課題を解決するため、請求項１の発明に係る収納袋の製造装置は、２軸延伸フィルムを基材フィルムとして含む複合フィルムを主たる材料とする収納袋の製造装置であって、前記複合フィルムの端縁部同士をヒートシールすることによりシール部を形成するシール部形成機構と、前記シール部形成機構により形成される前記シール部に冷却面を接触させることにより前記シール部を冷却するシール部冷却機構と、を備え、前記シール部冷却機構は、前記シール部を貫通する複数の亀裂部を形成する亀裂形成部を前記冷却面に有し、前記亀裂形成部は、前記シール部に前記亀裂部を形成する複数の亀裂形成体を有し、前記シール部冷却機構の冷却面を前記シール部に接触させる際に、前記亀裂形成体を前記シール部に接触させることにより、前記シール部の一端縁側から前記シール部の他端縁側にかけて前記亀裂部を形成するものである。
【０００９】
上記製造装置によれば、亀裂形成部をシール部冷却機構内に設け、シール部を冷却する工程と、シール部に亀裂部を設ける工程とを同時に行う。そして、シール部の一端縁側からシール部の他端縁側にかけて、シール部を貫通する複数の亀裂部を形成する。
【００１０】
また、請求項２の発明に係る収納袋の製造装置は、請求項１に係る収納袋の製造装置において、前記亀裂形成体における前記シール部に接触する接触部分が、直線形状又は十字形状に形成されるものである。
【００１１】
上記製造装置によれば、亀裂部を直線形状又は十字形状に形成することができる。
【００１２】
さらに、請求項３の発明に係る収納袋の製造装置は、請求項１又は請求項２に係る収納袋の製造装置において、前記亀裂形成体における前記シール部に接触する接触部分が、前記シール部の一側縁に対して３０°から７０°の角度で接触するように形成されるものである。
【００１３】
上記製造装置によれば、亀裂部をシール部の一側縁に対して３０°から７０°の角度で形成することができる。
【００１４】
さらに、請求項４の発明に係る収納袋の製造装置は、請求項１から請求項３のいずれか１項に係る収納袋の製造装置において、前記シール部形成機構により形成されるシール部を切断するシール部切断機構を備え、前記亀裂形成部は、前記シール部であって、前記シール部切断機構が前記シール部を切断する位置に前記亀裂部を形成するものである。
【００１５】
上記製造装置によれば、シール部の一端縁（切断側端縁）に亀裂部を形成することができる。
【００１６】
さらに、請求項５の発明に係る収納袋の製造装置は、請求項１から請求項４のいずれか１項に係る収納袋の製造装置において、前記亀裂形成部において前記亀裂形成体を設ける面が、前記シール部冷却機構の冷却面と同一の円弧形状をなすように形成されるものである。
【００１７】
上記製造装置によれば、均一な圧力で亀裂形成体をシール部に接触させることができる。
【００１８】
さらに、請求項６の発明に係る収納袋の製造装置は、請求項１から請求項５のいずれか１項に係る収納袋の製造装置において、前記亀裂形成体を受ける受け体を備え、前記受け体は、前記亀裂形成体が当接しないように形成されるものである。
【００１９】
上記製造装置によれば、亀裂形成体を損傷させることなく、亀裂形成体を受けることができる。
【００２０】
さらに、請求項７の発明に係る収納袋の製造装置は、請求項１から請求項６のいずれか１項に係る収納袋の製造装置において前記亀裂形成部は、所定の温度まで加熱された状態で前記シール部に前記亀裂部を形成するものである。
【００２１】
上記製造装置によれば、亀裂形成部がシール部に対して亀裂部を形成し易い状態となる。
【発明の効果】
【００２２】
本発明の効果として、以下に示すような効果を奏する。すなわち、上記収納袋の製造装置によると、シール部冷却機構において、シール部を冷却する工程と、シール部に亀裂部を形成する工程とを同時に行うため、亀裂部を形成する機構を装置内に個別に設ける必要がなく、また、シール部に亀裂部を形成する工程を、シール部を冷却する工程等と別の工程で行う必要がない。そのため、装置構成及び製造工程を簡略化できる。また、シール部の一端縁側からシール部の他端縁側にかけて、シール部を貫通する複数の亀裂部を形成することができるため、２軸延伸フィルム内の分子の配向の影響を受けながらであっても、意図する方向にシール部を引き裂いて容易に収納袋の一部を取り除くことが可能な収納袋を製造することができる。
【図面の簡単な説明】
【００２３】
【図１】本発明の実施例における収納袋の製造装置の全体概要正面図である。
【図２】図１におけるＡ−Ａ断面図である。
【図３】（ａ）は、本発明の実施例における収納袋の製造装置により製造される収納袋の平面図、（ｂ）は、（ａ）における亀裂部近傍の一部拡大平面図、（ｃ）は、（ａ）における亀裂部近傍において別実施例の亀裂部を示す一部拡大平面図である。
【図４】本発明の実施例における収納袋の製造装置の冷却バーの斜視図である。
【図５】（ａ）は、本発明の実施例における亀裂形成部材の平面図、（ｂ）は、同亀裂形成部材の側面図、（ｃ）は、同亀裂形成部材を冷却バーに取り付けた場合を示す平面図、（ｄ）は、（ｃ）のＢ−Ｂ断面図である。
【図６】（ａ）は、本発明の別実施例に係る亀裂形成部材の平面図、（ｂ）は、同亀裂形成部材の側面図、（ｃ）は、同亀裂形成部材を冷却バーに取り付けた場合を示す平面図、（ｄ）は、（ｃ）のＢ−Ｂ断面図である。
【図７】（ａ）は、本発明の実施例における受け体の平面図、（ｂ）は、同受け体の側面図、（ｃ）は、同受け体を冷却バーに取り付けた場合を示す平面図、（ｄ）は、同受け体が図５の亀裂形成部材を受けた場合の図５（ｃ）及び図７（ｃ）のＢ−Ｂ断面図である。
【図８】（ａ）は、本発明の別実施例に係る亀裂形成部材の平面図、（ｂ）は、（ａ）に係る亀裂形成部材により形成される亀裂部近傍の一部拡大平面図、（ｃ）は、本発明の別実施例に係る亀裂形成部材の平面図、（ｄ）は、（ｃ）に係る亀裂形成部材により形成される亀裂部近傍の一部拡大平面図である。
【図９】（ａ）は、両側の横シール部に亀裂部を形成した収納袋の平面図、（ｂ）は、二枚のフィルムを重ね合わせて形成される四方の端縁部をそれぞれヒートシールして縦シール部及び横シール部を形成した収納袋に本発明の亀裂部を形成した場合の平面図、（ｃ）は、合掌袋に本発明の亀裂部を形成した場合の平面図、（ｄ）は、ガゼット袋に本発明の亀裂部を形成した場合の平面図である。
【発明を実施するための形態】
【００２４】
以下に、本発明の実施例に係る収納袋１の製造装置２０の構成について図面に基づき説明する。本発明は、以下の実施例である収納袋１の製造装置２０に限定されるものではない。
【００２５】
図１及び図２に示すように、製造装置２０は、２軸延伸フィルムを基材フィルムとして含む１枚の複合フィルム２を二つ折りにし、二つ折りにした複合フィルム２の端縁部同士を重ね合わせ、重ね合わせた端縁部同士をヒートシールすることにより形成される収納袋１を製造する装置である。
【００２６】
［収納袋１］
図３（ａ）に示すように、製造装置２０においては、複合フィルム２を二つ折りにして形成される折り曲げ部１１と、折り曲げ部１１を形成することにより二つ折りされた複合フィルム２の端縁部同士をヒートシールして形成される縦シール部１２と、縦シール部１２が形成されることにより筒状となった複合フィルム２において折り曲げ部１１に隣接する端縁部同士をヒートシールして形成される横シール部１３（「シール部」の一例）と、を有する収納袋１が製造される。製造装置２０により製造される収納袋１には、一方側の横シール部１３の外端縁側（「シール部の一端縁側」の一例）から内端縁側（「シール部の他端縁側」の一例）にかけて、横シール部１３の引き裂きを誘導するための複数の亀裂部４１（図３（ｂ））或いは亀裂部４２（図３（ｃ））が形成されている。特に、亀裂部４１或いは亀裂部４２は、ポリ溜まり（複合フィルム２の端縁部同士を横シールロール２５によって熱しながら押圧する際に、横シールロール２５により押圧される樹脂部分の一部が、横シールロール２５の押圧により、本来、横シール部１３が形成されるべき範囲をはみ出して押し出され、その押し出された樹脂部分が固化する現象）が生じない側の横シール部１３に形成される。
【００２７】
図３（ｂ）に示すように、亀裂部４１は、横シール部１３の表面から裏面に向けて貫通する略十字形状に亀裂が形成された孔状の亀裂部分である。また、亀裂部４１は、その十字に交差する２辺のうちの一辺が横シール部１３の外側端縁（或いは内側端縁）に対して３０°から７０°の角度αとなるように形成される。なお、好ましくは、角度αが６０°に形成されるものである。
【００２８】
また、図３（ｃ）に示すように、亀裂部４２は、横シール部１３の表面から裏面に向けて貫通する略直線形状に形成された亀裂部分である。また、亀裂部４２は、その直線状の一辺が横シール部１３の外側端縁（或いは内側端縁）に対して３０°から７０°の角度αとなるように形成される。なお、好ましくは、角度αが６０°に形成されるものである。
【００２９】
さらに、図３（ｂ）及び（ｃ）に示すように、亀裂部４１及び亀裂部４２は、横シール部１３の外側端縁上に沿って形成される。これにより、横シール部１３の引き裂き開始部分に、常に亀裂部４１或いは亀裂部４２の亀裂部分を形成することができ、横シール部１３を容易に引き裂くことができる。
【００３０】
このような亀裂部４１或いは亀裂部４２が横シール部１３の外端縁側から内端縁側にかけて形成されることで、複合フィルム２における２軸延伸フィルム内の分子の配向の影響を受ける場合であっても、収納袋１の横シール部１３を意図する方向に容易に引き裂いて収納袋１の一部を取り除くことができる。
【００３１】
［収納袋１の製造方法］
以上のような収納袋１は、製造装置２０において以下の方法で製造される。
図１及び図２に示すように、まず、複合フィルム２の原反Ｒから所定のテンションを付与しながら複合フィルム２を繰り出し、繰り出された複合フィルム２を搬送長手方向（縦方向）に沿って二つ折りにして収納袋１の折り曲げ部１１を形成する。そして、二つ折りにされた複合フィルム２の搬送長手方向（縦方向）の端縁部同士を重ね合わせ、重ね合せた端縁部同士をヒートシールして収納袋１の縦シール部１２を形成し、複合フィルム２を筒状とする。
【００３２】
筒状とした複合フィルム２内には内容物Ｗが流し込まれ（充填され）、内容物Ｗが流し込まれた状態で、複合フィルム２の幅方向（横方向）の端縁部同士（折り曲げ部１１に隣接する端縁部同士）をヒートシールして、収納袋１の横シール部１３を形成する。そして、横シール部１３のシール面を表裏から押されることにより横シール部１３を冷却し、横シール部１３のシール面の外観を整える。また、この横シール部１３の冷却と同時に、横シール部１３には複数の亀裂部４１（亀裂部４２）が形成される。すなわち、横シール部１３の冷却と、亀裂部４１（亀裂部４２）の形成とが同時に行われる。さらに、横シール部１３の中央部を切断することにより、収納袋１が製造される。
【００３３】
［製造装置２０の装置構成］
次に、収納袋１の製造装置２０の装置構成について説明する。
【００３４】
図１及び図２に示すように、製造装置２０は、その側方に、複合フィルム２が巻かれた原反Ｒが原反軸２１に装着されて支持されている。また、製造装置２０は、原反Ｒから繰り出される複合フィルム２を所定のテンションを付与されながら製造装置２０の上部側に案内するテンションガイド２２を有する。
【００３５】
さらに、製造装置２０は、テンションガイド２２により案内された複合フィルム２を二つ折りに折り返して製造装置２０の下方側に引き出して案内する折り曲げガイド２３を有する。折り曲げガイド２３は、複合フィルム２の長手方向（搬送方向、縦方向）に沿って二つ折りに折り返すことで、収納袋１の折り曲げ部１１を形成する。
【００３６】
さらにまた、製造装置２０は、折り曲げガイド２３により二つ折りにされた複合フィルム２を縦方向（複合フィルム２の長手方向、複合フィルム２の搬送方向）にヒートシールする縦シールロール２４を有する。
【００３７】
縦シールロール２４は、第１縦シールロール２４Ａと、第２縦シールロール２４Ｂと、から構成される。第１縦シールロール２４Ａ及び第２縦シールロール２４Ｂは、互いに対向した状態で配置され、例えば、サーボモータからなる駆動手段Ｍ１によって回転可能に設けられる。また、第１縦シールロール２４Ａ及び第２縦シールロール２４Ｂの外周には縦シールバー２４ａが設けられている。
【００３８】
縦シールロール２４においては、対向する一対の縦シールバー２４ａを複合フィルム２に押し当てることにより、複合フィルム２を縦方向にヒートシールして収納袋１の縦シール部１２を形成する。縦シールロール２４が複合フィルム２を縦方向にヒートシールすることで、折り曲げ部１１と縦シール部１２とが対向するように、複合フィルム２が筒状に形成される。
【００３９】
さらにまた、製造装置２０は、複合フィルム２内に内容物Ｗを充填するための充填装置２６を有する。充填装置２６は、内容物Ｗを複合フィルム２内に流し込むための充填ノズル部２６ａと、内容物Ｗを送り出すためのポンプ（図示せず）と、を有する。
【００４０】
さらにまた、製造装置２０は、縦シールロール２４により筒状に形成された複合フィルム２を横方向（複合フィルム２の幅方向、複合フィルム２の搬送方向と直交する方向）にヒートシールする横シールロール２５（「シール部形成機構」の一例）を有する。横シールロール２５は、縦シールロール２４の下方、すなわち複合フィルム２の搬送方向下流側に設けられる。
【００４１】
横シールロール２５は、第１横シールロール２５Ａと、第２横シールロール２５Ｂと、から構成される。第１横シールロール２５Ａ及び第２横シールロール２５Ｂは、互いに対向した状態で配置され、例えば、サーボモータからなる駆動手段Ｍ２によって回転可能に設けられる。また、第１横シールロール２５Ａ及び第２横シールロール２５Ｂの外周には、その軸方向（長手方向）に沿って、横シールバー２５ａが複数（図２においては４つ）設けられている。
【００４２】
横シールロール２５においては、対向する一対の横シールバー２５ａを複合フィルム２に押し当てることにより、複合フィルム２を横方向（幅方向）に所定の間隔を置いてヒートシールして収納袋１の横シール部１３を形成する。横シールロール２５が複合フィルム２を横方向にヒートシールすることで、収納袋１内に内容物Ｗを封じ込める。
【００４３】
さらにまた、製造装置２０は、横シールロール２５により複合フィルム２に形成された横シール部１３を冷却するための横シール冷却ロール２７（「シール部冷却機構」の一例）を有する。横シール冷却ロール２７は、横シールロール２５の下方、すなわち複合フィルム２の搬送方向下流側に設けられる。
【００４４】
横シール冷却ロール２７は、第１冷却ロール２７Ａと、第２冷却ロール２７Ｂと、から構成される。第１冷却ロール２７Ａ及び第２冷却ロール２７Ｂは、互いに対向した状態で配置され、例えば、サーボモータからなる駆動手段Ｍ３によって回転可能に設けられる。また、第１冷却ロール２７Ａ及び第２冷却ロール２７Ｂの外周には、その軸方向（長手方向）に沿って、冷却バー２８が複数（図２においては４つ）設けられている。
【００４５】
横シール冷却ロール２７においては、対向する一対の冷却バー２８の冷却面２８ａ（図４参照）を複合フィルム２に押し当てることにより、横シール部１３のシール面を冷却する。
【００４６】
さらに、第１冷却ロール２７Ａの冷却バー２８には、横シール部１３に複数の亀裂部４１（亀裂部４２）を形成するための亀裂形成部材３０（「亀裂形成部」の一例）が設けられている。また、第２冷却ロール２７Ｂの冷却バー２８には、亀裂形成部材３０を受けるための受け体３５が設けられている。
【００４７】
さらにまた、製造装置２０は、連続して製造される収納袋１を横シール部１３の中央部で切断するためのカッタ２９（「シール部切断機構」の一例）を有する。カッタ２９は、収納袋１の製造装置２０における最下流側に設けられ、連続して製造される収納袋１を、個別の収納袋１に切断する。
【００４８】
次に、亀裂形成部材３０について説明する。
【００４９】
［亀裂形成部材３０］
図１及び２に示すように、亀裂形成部材３０は、横シール冷却ロール２７の一方の冷却ロールである第１冷却ロール２７Ａの外周に設けられる冷却バー２８に設けられる。すなわち、亀裂形成部材３０は、横シール冷却ロール２７（冷却バー２８）と一体に設けられる。亀裂形成部材３０は、第１冷却ロール２７Ａの回動に従って回動し、対向する第２冷却ロール２７Ｂの冷却バー２８と対向する位置で横シール部１３と接触し、横シール部１３に亀裂部４１（亀裂部４２）を形成する。
【００５０】
［冷却バー２８］
図４に示すように、亀裂形成部材３０が設けられる冷却バー２８は、略直方体状の部材であり、その上面に、横シール部１３のシール面と当接する冷却面２８ａが形成されている。冷却バー２８の冷却面２８ａは、第１冷却ロール２７Ａと略同一の曲率で湾曲して形成される。また、冷却バー２８の冷却面２８ａには、亀裂形成部材３０或いは後述する受け体３５を嵌め込むための凹状の取付孔２８ｂが形成されている。取付孔２８ｂは、冷却バー２８の冷却面２８ａの幅方向の中心線Ｌ１より若干ズレた位置に形成される。このように取付孔２８ｂを形成することにより、亀裂形成部材３０を取付孔２８ｂに嵌め込んだ際に、亀裂形成部材３０が、冷却バー２８の冷却面２８ａの幅方向の中心線Ｌ１より若干ズレた位置に配置されることとなる。
【００５１】
図５及び図６に示すように、亀裂形成部材３０は、横シール部１３に亀裂部４１（亀裂部４２）を形成する複数の針体３１（「亀裂形成体」の一例）と、針体３１を支持するための台座３２と、から構成されている。亀裂形成部材３０は。針体３１の先端部分を基材フィルム２（横シール部１３）に押し当てる（突き刺す）ことにより、横シール部１３に複数の亀裂部４１（亀裂部４２）を形成する。
【００５２】
［針体３１］
針体３１は、その先端部分、すなわち、亀裂部４１（亀裂部４２）を形成する際に横シール部１３に接触する接触部分が、十字形状（図５（ｂ））又は直線形状（図６（ｂ））に形成され、台座３２から突出した状態で設けられる。
【００５３】
また、針体３１は、その先端部分が横シール部１３の外側端縁或いは内側端縁に対して３０°から７０°の角度α、好ましくは、６０°の角度αで接触するように形成される。
【００５４】
具体的には、図５（ａ）に示すように、針体３１の先端部分の形状が十字形状の場合には、針体３１において十字形状の先端部分を形成する２辺（横シール部１３に当接する部分）の交差する辺のうちの一方の辺が台座３２の幅方向の中心線Ｌ２に対して３０°から７０°の角度αとなるように、針体３１が台座３２に配置される。
【００５５】
また、図６（ａ）に示すように、針体３１の先端部分の形状が直線形状の場合には、針体３１において直線形状の先端部分を形成する辺（横シール部１３に当接する部分）が台座３２の幅方向の中心線Ｌ２に対して３０°から７０°の角度αとなるように、針体３１が台座３２に配置される。
【００５６】
このように針体３１の先端部分を横シール部１３の外側端縁或いは内側端縁に対して所定の角度αで接触するように形成することで、横シール部１３に形成される亀裂部４１（亀裂部４２）が横シール部１３の外側端縁或いは内側端縁に対して所定の角度αを有して形成されることとなるため、横シール部１３を所定の角度で斜めに引き裂き易くなり、容易に収納袋１の一部を取り除くことができる。
【００５７】
さらに、図５（ａ）及び図６（ａ）に示すように、針体３１は、その先端部分（針先部分）が台座３２の一方の端縁から他方の端縁にかけて略隙間がないように配置される。このように針体３１が台座３２に配置されることで、横シール部１３におけるカッタ２９の切断位置に、常に亀裂部４１（亀裂部４２）の亀裂部分が配置されるように、横シール部１３に対して亀裂部４１（亀裂部４２）を形成することができる。
【００５８】
［台座３２］
図５及び図６に示すように、台座３２は、略立方体形状に形成され、冷却バー２８の取付孔２８ｂに嵌め込み可能な形状となっている。図５（ｄ）及び図６（ｄ）に示すように、台座３２の上面３２ａは、冷却バー２８の冷却面２８ａと略同一の曲率で湾曲して形成される。すなわち、針体３１を設ける面が、冷却バー２８の冷却面２８ａと略同一の円弧形状をなすように形成される。このように台座３２の上面３２ａ（針体３１を設ける面）を形成することで、台座３２に設けられる全ての針体３１の先端部分（針先部分）が、冷却バー２８の冷却面２８ａと略同一の円弧形状をなすように配置されることとなり、針体３１の先端部分が、均等な圧力で横シール部１３に接触することができる。そのため、横シール部１３に均一な形状の亀裂部４１（亀裂部４２）群を形成することができる。
【００５９】
また、台座３２は、その幅方向の長さが、横シールロール２５により形成される横シール部１３（カッタ２９により切断される前の横シール部１３）における幅方向の長さ（横シール部１３の外端縁から内端縁までの長さ）の範囲内の長さに形成される。すなわち、台座３２の幅方向の長さは、製造する収納袋１の横シール部１３の幅方向の長さに応じて決定される。なお、台座３２の長手方向の長さは、横シール部１３に形成する亀裂部４１（亀裂部４２）の範囲（面積）に応じて決定される。
【００６０】
また、亀裂形成部材３０は、針体３１が所定の温度まで加熱されるように構成されている。ここで、所定の温度とは、冷却バー２８の冷却面２８ａの温度と略同程度の温度である。具体的には、上記所定の温度は、５０℃から１１０℃に設定することが好ましく、９０℃に設定することがより好ましい。上記所定の温度を５０℃未満とすると、針体３１を横シール部１３に充分に貫通させることができず、横シール部１３に亀裂部４１（亀裂部４２）を充分に形成することができない。また、上記所定の温度を１１０℃より高くすると、横シール部１３に針体３１を充分に貫通させることはできるが、冷却される横シール部１３のシール面の外観が悪くなる。
【００６１】
［受け体３５］
次に、受け体３５について説明する。      
【００６２】
図１及び２に示すように、横シール冷却ロール２７の他方の冷却ロールである第２冷却ロール２７Ｂの外周に設けられる冷却バー２８には、亀裂形成部材３０の針体３１を受けるための受け体３５が設けられている。受け体３５は、針体３１が横シール部１３に接触して亀裂部４１（亀裂部４２）を形成させる際に、針体３１を受ける。
【００６３】
図７（ａ）及び（ｃ）に示すように、受け体３５は、硬質ゴム等の平板状の弾性部材により形成され、冷却バー２８の取付孔２８ｂに嵌め込み可能な形状となっている。図７（ｄ）に示すように、受け体３５を冷却バー２８の取付孔２８ｂに嵌め込むことにより受け体３５を底面とする凹状部分が形成され、その凹状部分において針体３１を受ける。
【００６４】
図７（ｄ）に示すように、受け体３５は、針体３１を受ける際に針体３１が当接しないように形成されている。具体的には、受け体３５を底面とする凹状部分の高さ（深さ）が、針体３１が横シール部１３を貫通する部分の長さより長く形成されている。また、当該凹状部分の形成される範囲（面積）が針体３１の設けられている範囲より広く形成されている。
【００６５】
また、図２及び図７（ｄ）に示すように、受け体３５は、第２冷却ロール２７Ｂの回動に従って回動し、第１冷却ロール２７Ａの回動に従って回動する針体３１と対向する位置で針体３１を受ける。この際、受け体３５は、針体３１に当接することなく針体３１を受ける。このように、受け体３５が針体３１に当接することなく針体３１を受けることで、針体３１の先端部分が破損することがない。
【００６６】
以上のように、上記実施例に係る収納袋１の製造装置２０によると、横シール冷却ロール２７において、横シール部１３を冷却する工程と、横シール部１３に亀裂部４１（亀裂部４２）を形成する工程とを同時に行うため、別途独立して亀裂部４１（亀裂部４２）を形成する機構を装置内に設ける必要がない。また、横シール部１３に亀裂部４１（亀裂部４２）を形成する工程を、横シール部１３を冷却する工程とは異なる別の工程で行う必要がない。そのため、装置構成及び製造工程を簡略化できる。また、横シール部１３の外端縁側から横シール部１３の内端縁側にかけて、横シール部１３を貫通する複数の亀裂部４１（亀裂部４２）を形成することができるため、２軸延伸フィルム内の分子の配向の影響を受けながらであっても、意図する方向に横シール部１３を引き裂いて容易に収納袋１の一部を取り除くことが可能な収納袋１を製造することができる。
【００６７】
なお、収納袋１の製造装置２０においては、亀裂形成部材３０を冷却バー２８の取付孔２８ｂに嵌め込み可能な構成（冷却バー２８とは別の部材）としているが、これに限定されるものではなく、例えば、冷却バー２８の冷却面２８ａに直接針体３１を設ける構成（冷却バー２８と同一部材）としても構わない。
【００６８】
また、収納袋１の製造装置２０においては、平面視略正方形状に配置される複数の針体３１からなる亀裂形成部材３０によって、亀裂部４１群（亀裂部４２群）を横シール部１３に平面視略正方形状に形成する構成としているが、これに限定されるものではなく、製造する収納袋に応じて、様々な形状の亀裂部４１群（亀裂部４２群）を横シール部１３に形成しても構わない。
【００６９】
例えば、図８（ａ）に示すような平面視略ひし形状に配置される複数の針体３１からなる亀裂形成部材３０Ａによって、亀裂部４１群を平面視略ひし形状に形成する構成（図８（ｂ）参照）としても構わない。すなわち、亀裂部４１群が横シール部１３の引き裂き方向に形成されるように亀裂形成部材３０Ａを構成する。
また、図８（ｃ）に示すような平面視略台形状に配置される複数の針体３１からなる亀裂形成部材３０Ｂによって、亀裂部４１群を平面視略台形状に形成する構成（図８（ｄ）参照）としても構わない。すなわち、亀裂部４１群の幅が横シール部１３の外端縁から内端縁に向けて徐々に広がって形成されるように亀裂形成部材３０Ｂを構成する。
【００７０】
さらに、収納袋１の製造装置２０においては、一方側の横シール部１３に亀裂部４１（亀裂部４２）が形成されるように、亀裂形成部材３０を形成し、又は、亀裂形成部材３０を冷却バー２８に配置しているが、これに限定されるものでなく、例えば、図９（ａ）に示す収納袋１Ａのように両側の横シール部１３に亀裂部４１が形成されるように、亀裂形成部材３０を形成し、又は、亀裂形成部材３０を冷却バー２８に配置しても構わない。この場合、亀裂部４１（亀裂部４２）は、針体３１が横シール部１３の幅方向の長さより長く平面視略長方形状に配置された亀裂形成部材３０によって形成される。または、亀裂形成部材３０の中心線を、冷却バー２８の冷却面２８ａの幅方向の中心線Ｌ１に合わせた位置に配置した状態で形成される。
【００７１】
さらにまた、本発明は、収納袋１のような、一枚のフィルムを折り曲げて形成される折り曲げ部分以外の三方の端縁部をそれぞれヒートシールして縦シール部１２及び横シール部１３を形成した収納袋を製造する製造装置に限定されるものではなく、収納袋１Ｂのような、二枚のフィルムを重ね合わせて形成される四方の端縁部をそれぞれヒートシールして縦シール部及び横シール部を形成した収納袋（図９（ｂ）参照）、収納袋１Ｃのような合掌袋（一枚のフィルムを背中部と底部でヒートシールした袋、図９（ｃ）参照）或いは収納袋１Ｄのようなガゼット袋（一枚のフィルムを筒状にして側縁同士を重ね合わせた袋、図９（ｄ）参照）を製造する製造装置であっても構わない。すなわち、２軸延伸フィルムを基材フィルムとして含む複合フィルムの端縁部同士をヒートシールすることによりシール部を形成し、当該シール部に亀裂部を形成することができる袋を製造可能な製造装置であれば構わない。
【符号の説明】
【００７２】
１      収納袋
２      複合フィルム
１３      横シール部（シール部）
２０      製造装置
２５      横シールロール（シール部形成機構）
２７      冷却ロール（シール部冷却機構）
２９      カッタ（シール部切断機構）
３０      亀裂形成部材（亀裂形成部）
３１      針体（亀裂形成体）
４１      亀裂部
４２      亀裂部
【図１】
2016016612.tif 000003
【図２】
2016016612.tif 000004
【図３】
2016016612.tif 000005
【図４】
2016016612.tif 000006
【図５】
2016016612.tif 000007
【図６】
2016016612.tif 000008
【図７】
2016016612.tif 000009
【図８】
2016016612.tif 000010
【図９】
2016016612.tif 000011